(57)【要約】      （修正有）【課題】ボールペン等の筆記具としてのみならずＬＥＤライト付き照明具としても使用することができ、さらにホイッスルを一体的に取り付けたホイッスル付きペンライトを提供する。【解決手段】電池１２を内蔵するとともに、端部に光源１３を配置しかつ周面にスイッチ１４を付設した筒状のペンライト本体１１と、該筒状のペンライト本体１１の開口端部に着脱自在に装着した筆記具部材２１と、該筆記具部材の他端に着脱可能に取り付けられ、送気口３２を先端に配置したホイッスル３１とを有することを特徴とする。【選択図】図８
0003189230.tif 000002
【実用新案登録請求の範囲】
【請求項１】
電池を内蔵するとともに、端部に光源を配置しかつ周面にスイッチを付設した筒状のペンライト本体と、該筒状のペンライト本体の開口端部に着脱自在に装着した筆記具部材と、該筆記具部材の他端に着脱可能に取り付けられ、送気口を先端に配置したホイッスルとを有することを特徴とするホイッスル付きペンライト。
【請求項２】
前記ペンライト本体の光源が、ＬＥＤ光源からなることを特徴とする請求項１に記載のホイッスル付きペンライト。
【請求項３】
前記筆記具部材が、ボールペンからなることを特徴とする請求項１または２に記載のホイッスル付きペンライト。
【請求項４】
前記ホイッスルが、放音口を周面に配置したことを特徴とする請求項１ないし３のいずれかに記載のホイッスル付きペンライト。
【考案の詳細な説明】
【技術分野】
【０００１】
本考案は、ボールペン等の筆記具としてのみならずＬＥＤライト付き照明具としても使用することができ、さらにホイッスルを一体的に取り付けたホイッスル付きペンライトに関するものである。
【背景技術】
【０００２】
従来、携帯に便利な照明器具としてペンライトが提案され、実用に供されていることは周知である。
その一方で、ＬＥＤライト等にホイッスルを組み付けたＬＥＤライト付き警報器が下記のようにいくつか提案されている。
１）実用新案登録第３１１６９７５号公報（特許文献１参照）
２）特開平１０−１４４１０２号公報（特許文献２参照）
【先行技術文献】
【特許文献】
【０００３】
【特許文献１】実用新案登録第３１１６９７５号公報
【特許文献２】特開平１０−１４４１０２号公報
【特許文献３】実用新案登録第３１１７５０６号公報
【考案の概要】
【考案が解決しようとする課題】
【０００４】
しかしながら、前記ペンライトはいずれも単にＬＥＤライト等にホイッスルを組み付けたものにすぎなかった。
本考案が解決しようとする問題点は、上述のペンライトにさらにホイッスルを組み付けたものであり、ボールペン等の筆記具としてのみならずＬＥＤライト付き照明具としても使用することができ、さらにホイッスルを一体的に取り付けたホイッスル付きペンライトは存在しなかった点である。
ちなみに、実用新案登録第３１１７５０６号公報（特許文献３参照）には一般的なペンライトにチェーン等を介してホイッスルを連結したものが提案されている。
【０００５】
本考案は、上記問題点を解決し、ボールペン等の筆記具としてのみならずＬＥＤライト付き照明具としても使用することができ、さらにホイッスルを一体的に取り付けたホイッスル付きペンライトを提供することを目的とする。
【課題を解決するための手段】
【０００６】
前記課題を解決するために本考案に係るホイッスル付きペンライトは、電池を内蔵するとともに、端部に光源を配置しかつ周面にスイッチを付設した筒状のペンライト本体と、該筒状のペンライト本体の開口端部に着脱自在に装着した筆記具部材と、該筆記具部材の他端に着脱可能に取り付けられ、送気口を先端に配置したホイッスルとを有することを特徴とするものである。
【０００７】
本考案に係るホイッスル付きペンライトにおいて、前記ペンライト本体の光源は、ＬＥＤ光源からなることをも特徴とするものである。
【０００８】
本考案に係るホイッスル付きペンライトにおいて、前記筆記具部材は、ボールペンからなることをも特徴とするものである。
【０００９】
本考案に係るホイッスル付きペンライトにおいて、前記ホイッスルは、放音口を周面に配置したことをも特徴とするものである。
【考案の効果】
【００１０】
請求項１の考案によれば、ペンライト本体と、筆記具部材およびホイッスルとがほぼ直線状に一体的に構成されており、衣服等のポケットや収納ケースに無理なく収納することができるものとなった。
【００１１】
請求項２，３の考案によれば、前記ペンライト本体の光源として電池式のＬＥＤ光源を、また筆記具部材としてボールペンを使用しているので、非常に携行に便利なものとすることができる。
【００１２】
請求項４の考案によれば、前記ホイッスルとして放音口を周面に配置した構造を採用したので、ホイッスルのみ分離して警笛を発したり、ペンライト本体等に結合した状態のままで警笛を発することができ、迅速に第三者に通報することが可能になり、早い対応を期待することができる。
【図面の簡単な説明】
【００１３】
【図１】本考案に係るホイッスル付きペンライトの一実施例を説明するものであり、（ａ）はその正面図、（ｂ）はその上面図、（ｃ）はその下面図である。
【図２】（ａ）はその側面図、（ｂ）はその上面図、（ｃ）はその下面図である。
【図３】内部構造を説明するものであり、（ａ）はその正面図、（ｂ）はその上面図、（ｃ）はその下面図である。
【図４】（ａ）はその側面図、（ｂ）はその上面図、（ｃ）はその下面図である。
【図５】各パーツを分解した状態の正面図である。
【図６】各パーツを分解した状態の側面図である。
【図７】各パーツを分解した状態の要部断面図である。
【図８】各パーツを組み付けた状態の要部断面図である。
【図９】ホイッスルを筆記具部材に組み付けた状態の正面図である。
【図１０】筆記具として使用している状態の概略図である。
【図１１】（ａ）はホイッスルの斜視図、（ｂ）はその縦断概略図である。
【図１２】ホイッスルとして使用している状態の概略図である。
【図１３】各パーツを組み付けたスイッチオフの状態を示す正面図である。
【図１４】各パーツを組み付けたスイッチオンの状態を示す正面図である。
【図１５】ライトとしての使用状態を示す概略図である。
【考案を実施するための形態】
【００１４】
以下図面に基いて本考案のホイッスル付きペンライトの実施の形態について詳細に説明する。
図１ないし図４は、本考案に係るホイッスル付きペンライトを組付けた状態を、図５ないし図７は各パーツを分解した状態を、図８は各パーツを組み付け、ライトとして使用する状態を、図９はペンライト本体を筆記具部材から外して筆記具として使用できるようにした状態を、図１０は実際に筆記具として使用している状態を示したものである。
また、図１１はホイッスルの構造を説明するためのものであり、図１２は本考案のホイッスル付きペンライトをホイッスルとして使用している状態を示すものである。
さらに、図１３、図１４は本考案のホイッスル付きペンライトをライトとして使用する状態を説明するためのものであり、図１３はライトがオフの状態を、図１４はライトがオンの状態をそれぞれ示している。図１５は本考案のホイッスル付きペンライトをライトとして使用している状態を示すものである。
【００１５】
図面において本考案のホイッスル付きペンライトは、図１ないし図６に示すように、電池１２を内蔵するとともに、端部に光源１３を配置しかつ周面にスイッチ１４を付設した筒状のペンライト本体１１と、該筒状のペンライト本体１１の開口端部に着脱自在に装着した筆記具部材２１と、該筆記具部材２１の他端に着脱可能に取り付けられ、送気口３２を先端に配置したホイッスル３１とを有している。
【００１６】
より詳しくは、上記ペンライト本体１１は図７および図８に示すように、光源部１５とその後端に取り付けた蓋部１８とから構成され、筆記具部材２１のペン先部分に蓋部１８を装着できるようになっている。
また光源部１５は、前端に先端を露出させる開口部１５ａを形成され、そしてその内周面に配置したスイッチ部材１６を介して電池１２が内蔵されていて、図１３および図１４に示すように、操作ボタン１７をスライド操作する度にＯＮ／ＯＦＦが繰り返され、光源１３の点灯／消灯ができるようになっている。
なお、本考案に係るホイッスル付きペンライトにおいて、前記ペンライト本体１１の光源１３は、ＬＥＤ光源からなることが望ましい。
【００１７】
前記ペンライト本体１１の開口端部に着脱自在に装着した筆記具部材２１は、望ましくはボールペンからなり、ペン先には上述のようにペンライト本体１１の蓋部１８が装着される。
他方その他端には、図７および図８に示すように雄ネジ２２が形成されていて、後述のホイッスル３１が着脱自在に取り付けられている。図９はホイッスル３１を装着した状態において、本考案に係るホイッスル付きペンライトを筆記具として使用している状態を示すものである。
【００１８】
図１１（ａ），（ｂ）は本考案に係るホイッスル付きペンライトにおける前記ホイッスル３１を説明するためのものである。
該ホイッスル３１は、口をつけて送気する送気口３２が先端に配置され、また放音口３３が周面に配置されている。３４は後端の内周に形成した雌ネジであり、前記筆記具部材２１端部に形成した雄ネジ２２にねじ込んで着脱できるようにするためのものである。また図において３５は、振動により音を発するリード部である。
以上のように構成した前記ホイッスル３１は、図１２に示すように前記筆記具部材２１に装着した状態で適宜警笛を鳴らすことができ、また前記筆記具部材２１から外した状態でも後端を指でふさいだ状態とすれば適宜警笛を鳴らすことができる。
【００１９】
図１３、図１４は本考案のホイッスル付きペンライトをライトとして使用する状態を説明するためのものであり、図１３は操作ボタン１７が後退していて光源１３からのライトがオフの状態を、図１４は操作ボタン１７押し上げて光源１３からのライトがオンの状態をそれぞれ示している。また図１５は、夜間や暗闇の中で本考案のホイッスル付きペンライトをライトとして使用している状態を示すものである。
【産業上の利用可能性】
【００２０】
以上のように構成された本考案のホイッスル付きペンライトは、照明機構や筆記具部材、警笛を発するホイッスルが一体的に結合されているため、ライトとしてのみならず筆記具としても、また警笛を発するホイッスルとしても簡易迅速に利用することができる。
したがって、防災用としてはもちろん、防犯や探し物等において好適に利用することができる。
【符号の説明】
【００２１】
１１  ペンライト本体
１２  電池
１３  光源
１４  スイッチ
１５  光源部
１５ａ  開口部
１６  スイッチ部材
１７  操作ボタン
１８  蓋部
２１  筆記具部材
２２  雄ネジ
３１  ホイッスル
３２  送気口
３３  放音口
３４  雌ネジ
３５  リード部
【図１】
0003189230.tif 000003
【図２】
0003189230.tif 000004
【図３】
0003189230.tif 000005
【図４】
0003189230.tif 000006
【図５】
0003189230.tif 000007
【図６】
0003189230.tif 000008
【図７】
0003189230.tif 000009
【図８】
0003189230.tif 000010
【図９】
0003189230.tif 000011
【図１０】
0003189230.tif 000012
【図１１】
0003189230.tif 000013
【図１２】
0003189230.tif 000014
【図１３】
0003189230.tif 000015
【図１４】
0003189230.tif 000016
【図１５】
0003189230.tif 000017